(57)【要約】【課題】不動作状態であっても撮像素子が焼き付く可能性を低減できる撮像装置及びこのような撮像装置の制御方法を提供すること。【解決手段】パワースイッチ２２３がオフされてカメラが不動作状態となるときに、第２レンズ群１０１ｂを最至近位置に移動させるとともに（ステップＳ１４）、絞り羽１０３を最小絞りに設定する（ステップＳ１５）。これによって、太陽の像が撮像素子２０５の受光面上で合焦せず、像の明るさも暗いので撮像素子２０５の受光面が焼き付きによって損傷する可能性を低減できる。【選択図】    図３
2010062833.tif 000002
【特許請求の範囲】
【請求項１】
撮影レンズを介して被写体像を撮像する撮像素子と、
上記撮影レンズの焦点位置を調節するための焦点位置調節用レンズと、
上記撮影レンズを介して上記撮像素子で撮像される被写体像の光量を調節するための絞り機構と、
当該撮像装置を不作動状態に設定する際に、上記絞り機構を小絞り側に設定し、且つ上記焦点位置調節用レンズを近距離側の焦点位置に移動させる制御部と、
を具備することを特徴とする撮像装置。
【請求項２】
上記制御部は、上記撮像装置を不作動状態に設定する際に、上記焦点位置調節用レンズを最至近位置に移動させることを特徴とする請求項１に記載の撮像装置。
【請求項３】
上記制御部は、上記撮像装置を不作動状態に設定する際に、上記絞り機構の設定可能な最小の絞り値に上記絞り機構を設定することを特徴とする請求項１に記載の撮像装置。
【請求項４】
上記撮像装置が不作動状態の時に開放されて上記撮像素子を露光状態とし、上記撮像素子を用いた静止画撮影時に一時的に上記撮像素子を遮光するノーマルオープンシャッタをさらに具備することを特徴とする請求項１乃至３の何れか１項に記載の撮像装置。
【請求項５】
撮像装置に設けられた撮像素子の焼き付きを防止するための撮像装置の制御方法であって、
上記撮像装置を不作動状態に設定する際に、上記撮像素子で撮像される被写体像の光量を調節するための絞り機構を小絞り側に設定し、
上記撮像素子で撮像される被写体像の焦点状態を調節するための焦点位置調節用レンズを近距離側の焦点位置に移動させる、
ことを特徴とする撮像装置の制御方法。
【発明の詳細な説明】
【技術分野】
【０００１】
本発明は、撮像素子が焼き付く可能性を低減することができる撮像装置及びこのような撮像装置の制御方法に関する。
【背景技術】
【０００２】
撮像素子を有する撮像装置（電子カメラ等）は、フィルムカメラのようなシャッタ機構が必ずしも必要ではなく、シャッタ機構を省略することが可能である。これは、電子カメラ等の撮像素子を有する撮像装置では、撮像素子における電荷の蓄積を制御することでフィルムカメラにおけるシャッタ機構と同様の機能を実現できるためである。
【０００３】
また、電子カメラ等の撮像装置の多くは、光学ファインダの代わりに表示モニタで被写体像を観察することができるライブビューファインダ表示機能（電子ファインダ表示機能、スルー画表示機能等ともいう）を有している。このようなライブビューファインダ表示機能を有する電子カメラの中には、特許文献１に記載されているようなノーマルオープンシャッタを有するものもある。ノーマルオープンシャッタとは、通常時（撮像装置が不作動状態のときやライブビューファインダ表示機能の動作時）は開放状態となって撮像素子を露光状態としており、撮像装置が静止画撮影状態となったときにのみ所望の露光量が得られるように撮像素子を一時的に遮光する機能を有するシャッタである。
【０００４】
ところで、電子カメラにおいては、絞り機構を開放とした状態で太陽等の高輝度被写体をフレーミングしたときに、撮像素子の受光面に焼き付きが発生する場合があることが知られている。このような撮像素子の焼き付きを防止するための提案として、例えば特許文献２の提案がなされている。この特許文献２の提案においては、ライブビューファインダ表示機能の動作中に撮像素子に強い光が入射したことが検出された場合に、絞り機構を小絞り側に設定するように制御している。
【特許文献１】特開２００７−３１２１９８号公報
【特許文献２】特開２００７−６３５８号公報
【発明の開示】
【発明が解決しようとする課題】
【０００５】
ここで、特許文献２の技術は、撮像素子に強い光が入射したか否かを検出する必要がある。即ち、特許文献２の技術は撮像装置が動作中のときに利用できる技術である。このため、特許文献２の技術を、ノーマルオープンシャッタを有する電子カメラのような、不動作状態のときであっても撮像素子に強い光が入射する可能性がある撮像装置に対して適用することは困難である。
【０００６】
本発明は、上記の事情に鑑みてなされたもので、不動作状態であっても撮像素子が焼き付く可能性を低減できる撮像装置及びこのような撮像装置の制御方法を提供することを目的とする。
【課題を解決するための手段】
【０００７】
上記の目的を達成するために、本発明の第１の態様の撮像装置は、撮影レンズを介して被写体像を撮像する撮像素子と、上記撮影レンズの焦点位置を調節するための焦点位置調節用レンズと、上記撮影レンズを介して上記撮像素子で撮像される被写体像の光量を調節するための絞り機構と、当該撮像装置を不作動状態に設定する際に、上記絞り機構を小絞り側に設定し、且つ上記焦点位置調節用レンズを近距離側の焦点位置に移動させる制御部とを具備することを特徴とする。
【０００８】
また、上記の目的を達成するために、本発明の第２の態様の撮像装置の制御方法は、撮像装置に設けられた撮像素子の焼き付きを防止するための撮像装置の制御方法であって、上記撮像装置を不作動状態に設定する際に、上記撮像素子で撮像される被写体像の光量を調節するための絞り機構を小絞り側に設定し、上記撮像素子で撮像される被写体像の焦点状態を調節するための焦点位置調節用レンズを近距離側の焦点位置に移動させることを特徴とする。
【発明の効果】
【０００９】
本発明によれば、不動作状態であっても撮像素子が焼き付く可能性を低減できる撮像装置及びこのような撮像装置の制御方法を提供することができる。
【発明を実施するための最良の形態】
【００１０】
以下、図面を参照して本発明の実施形態を説明する。  
図１は、本発明の一実施形態に係る撮像装置の一例としての電子カメラ（以降、カメラと称する）の構成を示した図である。本実施形態におけるカメラは、交換レンズ１００とカメラボディ２００とを有するレンズ交換可能なカメラを例示している。
【００１１】
交換レンズ１００は、第１レンズ群１０１ａと第２レンズ群１０１ｂとを有する撮影レンズと、光学系駆動機構１０２と、絞り羽１０３と、絞り駆動機構１０４と、レンズＣＰＵ１０５とを有している。
【００１２】
第１レンズ群１０１ａは、交換レンズ１００に固定的に設けられ、図示しない被写体の光束を集光してカメラボディ２００内の撮像素子２０５上に被写体像を結像させるためのレンズ群である。第２レンズ群１０１ｂは、図示一点鎖線で示す光軸方向に可動に構成されており、撮影レンズの焦点位置を調節するための焦点位置調節用レンズ群である。
【００１３】
光学系駆動機構１０２は、ステッピングモータ等から構成され、第２レンズ群１０１ｂを光軸方向に移動させることで撮影レンズの焦点位置調節を行う。ここで、第２レンズ群１０１ｂを至近側（第１レンズ群１０１ａと第２レンズ群１０１ｂとによって構成される撮影レンズの主点と撮像素子２０５の受光面との距離が長くなる側。図では左側）に移動させることによって近距離の被写体に合焦するようになる。一方、第２レンズ群１０１ｂを無限側（第１レンズ群１０１ａと第２レンズ群１０１ｂとによって構成される撮影レンズの主点と撮像素子２０５の受光面との距離が短くなる側。図では右側）に移動させることによって遠距離の被写体に合焦するようになる。
【００１４】
絞り羽１０３は、開閉自在に構成され、撮影レンズを介して撮像素子２０５に入射する光束の光量を調整する。絞り駆動機構１０４は、絞り羽１０３の開閉駆動を行う。ここで、絞り羽１０３を大絞り側に設定することで、撮像素子２０５へ入射する光束の光量が大きくなり、絞り羽１０３を小絞り側に設定することで、撮像素子２０５へ入射する光束の光量が小さくなる。このような絞り羽１０３と絞り駆動機構１０４とによって絞り機構が構成されている。
【００１５】
レンズＣＰＵ１０５は、交換レンズ１００がカメラボディ２００に装着された際に、通信端子１０６を介してカメラボディ２００内のシーケンスコントローラ（ボディＣＰＵ）２１９と通信可能に構成されている。このレンズＣＰＵ１０５は、ボディＣＰＵ２１９の制御に従って光学系駆動機構１０２の制御及び絞り駆動機構１０４の制御等を行う。また、レンズＣＰＵ１０５は、撮影レンズの焦点距離情報等のレンズ情報を保持しており、交換レンズ１００がカメラボディ２００に装着された際に、通信端子１０６を介してボディＣＰＵ２１９にレンズ情報を送信することも行う。
【００１６】
ここで、図２を参照して光学系駆動機構１０２、絞り駆動機構１０４についてさらに説明する。図２は、カメラボディ２００に交換レンズ１００を装着した状態のカメラの内部構成を示す断面図である。なお、図２においては図１に示すブロックの一部の図示を省略している。
【００１７】
図２に示すように、第１レンズ群１０１ａは交換レンズ１００に固定されており、この第１レンズ群１０１ａの光軸上に絞り羽１０３、第２レンズ群１０１ｂが配置されている。
【００１８】
第２レンズ群１０１ｂは、レンズ保持枠１０２ｂによって保持されている。さらに、レンズ保持枠１０２ｂは送りネジ１０２ａを介してレンズ駆動アクチュエータ１０２ｃに取り付けられている。レンズ駆動アクチュエータ１０２ｃはレンズＣＰＵ１０５の制御に従って駆動される。このレンズ駆動アクチュエータ１０２ｃの駆動によって送りネジ１０２ａが回転し、この送りネジ１０２ａの回転に伴って第２レンズ群１０１ｂが図示矢印Ａで示す可動範囲内を移動する。図１に示す光学系駆動機構１０２は、図２に示す送りネジ１０２ａ、レンズ保持枠１０２ｂ、レンズ駆動アクチュエータ１０２ｃを含んで構成されている。
【００１９】
また、絞り羽１０３は、絞り羽駆動腕部１０４ａを介して絞り羽駆動アクチュエータ１０４ｂに取り付けられている。絞り羽駆動アクチュエータ１０４ｂは例えばステッピングモータから構成されている。この絞り羽駆動アクチュエータ１０４ｂを構成するステッピングモータを駆動させることにより絞り羽１０３が開閉する。図１に示す絞り駆動機構１０４は、図２に示す絞り羽駆動腕部１０４ａ、絞り羽駆動アクチュエータ１０４ｂを含んで構成されている。
【００２０】
カメラボディ２００は、フォーカルプレーンシャッタ２０１と、シャッタ駆動機構２０２と、各種フィルタ２０４と、撮像素子２０５と、撮像素子駆動回路２０６と、前処理回路２０７と、データバス２０８と、ＳＤＲＡＭ制御回路２０９と、ＳＤＲＡＭ２１０と、画像処理回路２１１と、ビデオ信号出力回路２１２と、液晶モニタ駆動回路２１３と、ファインダ（Ｆ）内液晶モニタ２１４と、背面液晶モニタ２１５と、圧縮伸長回路２１６と、記録媒体制御回路２１７と、記録媒体２１８と、シーケンスコントローラ（ボディＣＰＵ）２１９と、フラッシュメモリ制御回路２２０と、フラッシュメモリ２２１と、各種スイッチ２２２と、パワースイッチ２２３と、スイッチ検知回路２２４と、入出力回路２２５と、通信回路２２６とを有している。
【００２１】
フォーカルプレーンシャッタ２０１は、撮像素子２０５の前方に配置され、撮像素子２０５の受光面を遮光する。ここで、本実施形態の例におけるフォーカルプレーンシャッタ２０１は、ノーマルオープン方式のフォーカルプレーンシャッタ（ノーマルオープンシャッタ）である。ノーマルオープンシャッタとは、通常状態では開状態となっており、静止画撮影の際に一時的に閉状態となるシャッタである。
【００２２】
シャッタ駆動機構２０２は、フォーカルプレーンシャッタ２０１の開閉を行う。静止画撮影時においては、交換レンズ１００内の絞り羽１０３の開放量とフォーカルプレーンシャッタ２０１の開放時間とを制御することによって撮像素子２０５の露光量を制御することが可能である。
【００２３】
各種フィルタ２０４は、撮影レンズを介して撮像素子２０５に入射する光束の赤外光成分を除去する赤外カットフィルタや高周波ノイズ成分を除去するローパスフィルタ等の各種の光学フィルタである。
【００２４】
撮像素子２０５は、撮影レンズを介して結像された被写体像を光電変換によって電気信号（画像信号）に変換する。撮像素子駆動回路２０６は、入出力回路２２５を介したボディＣＰＵ２１９からの指示に従って撮像素子２０５を駆動制御するとともに、撮像素子２０５で得られる画像信号の読み出しを制御する。
【００２５】
前処理回路２０７は、撮像素子駆動回路２０６を介して撮像素子２０５から読み出される画像信号に対してノイズ除去や増幅等のアナログ処理を施し、さらにアナログ処理した画像信号をデジタル信号（画像データ）に変換する処理を行う。
【００２６】
データバス２０８は、前処理回路２０７において得られた画像データや画像処理回路２１１で処理される画像データ等の種々のデータを転送するための転送路である。
【００２７】
ＳＤＲＡＭ制御回路２０９は、ＳＤＲＡＭ２１０へのデータの書き込み及び読み出しを制御する。ＳＤＲＡＭ２１０は、前処理回路２０７において得られたデータ等を一時格納しておくためのバッファメモリである。
【００２８】
画像処理回路２１１は、前処理回路２０７において得られ、ＳＤＲＡＭ２１０に格納されている画像データを読み出して各種の画像処理を施す。この画像処理は、画像の色バランスを補正するホワイトバランス補正処理、画像の色を補正する色補正処理、画像の階調を補正する階調補正処理等が含まれる。
【００２９】
ビデオ信号出力回路２１２は、ＳＤＲＡＭ２１０から画像処理後の画像データを読み出し、読み出した画像データをビデオ信号に変換して液晶モニタ駆動回路２１３に出力する。液晶モニタ駆動回路２１３は、ビデオ信号出力回路２１２から入力されたビデオ信号に従ってＦ内液晶モニタ２１４又は背面液晶モニタ２１５を駆動して、Ｆ内液晶モニタ２１４又は背面液晶モニタ２１５の画面上に画像表示を行う。Ｆ内液晶モニタ２１４は、カメラボディ２００の背面に設けられるファインダ観察窓内に設けられており、ユーザが被写体像をファインダ上で観察するための画像表示を行う。背面液晶モニタ２１５は、カメラボディ２００の背面に配置されており、撮影によって得られた画像等の各種の画像を表示する。ここで、本実施形態では、背面液晶モニタ２１５上に、Ｆ内液晶モニタ２１４に表示される画像と同じ画像を表示させることが可能である。以下、Ｆ内液晶モニタ２１４や背面液晶モニタ２１５を用いたファインダ用の画像表示をライブビュー動作と記す。なお、ライブビュー動作はＦ内液晶モニタ２１４と背面液晶モニタ２１５の何れか一方のみで行うようにしても良い。
【００３０】
圧縮伸長回路２１６は、ＳＤＲＡＭ２１０から画像処理後の画像データを読み出し、読み出した画像データをＪＰＥＧ方式等の所定の圧縮形式で圧縮する。また、圧縮伸長回路２１６は、画像の再生時には、ＳＤＲＡＭ２１０から圧縮済みの画像データを読み出し、読み出した画像データを伸長することも行う。
【００３１】
記録媒体制御回路２１７は、記録媒体２１８へのデータの書き込み及び読み出しを制御する。記録媒体２１８は、例えばカメラボディ２００に対して着脱自在に構成されたメモリカードであり、圧縮伸長回路２１６において圧縮された画像データを記録する。
【００３２】
制御部としての機能を有するボディＣＰＵ２１９は、フラッシュメモリ２２１に記憶されている制御プログラムに従って、シャッタ駆動機構２０２の制御等のカメラボディ２００内の各部の制御を行う。
【００３３】
フラッシュメモリ制御回路２２０は、フラッシュメモリ２２１へのデータの書き込み及び読み出しを制御する。フラッシュメモリ２２１は、ボディＣＰＵ２１９によって読み出される制御プログラムやカメラボディ２００の各種の設定値等を記憶する。
【００３４】
各種スイッチ２２２は、カメラボディ２００を操作するための各種の操作部材に応答して状態が切り替わるスイッチである。この各種の操作部材としては、カメラに撮影実行の指示を与えるためのレリーズボタン、画像再生の指示を与えるための再生ボタン、メニュー画面表示の指示を与えるためのメニューボタン、カメラの各種設定を行うための入力キー等が挙げられる。パワースイッチ２２３は、カメラボディ２００の電源をオン又はオフさせるための操作部材である。スイッチ検知回路２２４は、各種スイッチ２２２及びパワースイッチ２２３の操作状態を検知し、検知結果をボディＣＰＵ２１９に通知する回路である。スイッチ検知回路２２４を介して操作部材の操作が検知された場合に、ボディＣＰＵ２１９は、操作部材の操作内容に応じた制御を実行する。
【００３５】
入出力回路２２５は、ボディＣＰＵ２１９からの指示を受けて、シャッタ駆動機構２０２、撮像素子駆動回路２０６の制御を行うための信号を出力するインターフェース回路である。
【００３６】
通信回路２２６は、交換レンズ１００のレンズＣＰＵ１０５とカメラボディ２００のボディＣＰＵ２１９との通信を行うためのインターフェース回路である。
【００３７】
以下、本実施形態におけるカメラの動作について説明する。図３は、本実施形態におけるカメラの動作について示すフローチャートである。カメラボディ２００に図示しない電池が装填されたときに図３の処理が開始される。ボディＣＰＵ２１９は、まず、スイッチ検知回路２２４の出力から、ユーザの操作によってパワースイッチ２２３がオンされて不動作状態であるスリープ状態が解除されたか否かを判定する（ステップＳ１）。ステップＳ１の判定において、パワースイッチ２２３がオンされていない場合には本カメラの状態が不動作状態であるスリープ状態となる。また、ステップＳ１の判定において、パワースイッチ２２３がオンである場合、若しくはスリープ状態においてパワースイッチ２２３がオンされた場合に、ボディＣＰＵ２１９はカメラボディ２００の各部及び交換レンズ１００の各部への電源供給を開始する（ステップＳ２）。
【００３８】
次に、ボディＣＰＵ２１９は、レンズＣＰＵ１０５と通信を行い、レンズＣＰＵ１０５に対し絞り羽１０３の開放を指示する。これを受けて、レンズＣＰＵ１０５は、絞り駆動機構１０４を制御して絞り羽１０３を開放する（ステップＳ３）。詳細は後述するが、本実施形態においては、カメラが不動作状態に移行する際に絞り羽１０３の絞り込みが行われる。カメラの動作開始時にはライブビュー動作を行うため、このライブビュー動作の開始に先だって絞り１０３を開放する。
【００３９】
絞り羽１０３の開放を指示した後、ボディＣＰＵ２１９は、ライブビュー動作開始の指示を行う（ステップＳ４）。これにより、Ｆ内液晶モニタ２１４と背面液晶モニタ２１５の一方又は両方において観察像の表示が行われる。
【００４０】
ライブビュー動作を開始させた後、ボディＣＰＵ２１９は、ユーザの再生ボタンの操作によって再生スイッチがオンしたか否かを判定する（ステップＳ５）。ステップＳ５の判定において、再生スイッチがオンした場合に、ボディＣＰＵ２１９は、画像データの再生動作を制御する（ステップＳ６）。画像データの再生動作においては、例えば、液晶モニタ駆動回路２１３を制御して背面液晶モニタ２１５に記録媒体２１８に記録されている画像データの一覧を表示させる。この一覧表示において、ユーザが所望の画像を選択すると、その選択された画像データが再生され、背面液晶モニタ２１５に画像表示がなされる。このような画像データの再生動作の後は次のステップに移行する。また、ステップＳ５の判定において、再生スイッチがオンしていない場合に、ボディＣＰＵ２１９は、ステップＳ６の処理をスキップする。
【００４１】
ステップＳ５又はＳ６の後、ボディＣＰＵ２１９は、ユーザのメニューボタンの操作によってメニュースイッチがオンしたか否かを判定する（ステップＳ７）。ステップＳ７の判定において、メニュースイッチがオンした場合に、ボディＣＰＵ２１９は、メニュー設定動作を制御する（ステップＳ８）。メニュー設定動作においては、例えば、液晶モニタ駆動回路２１３を制御して背面液晶モニタ２１５にメニュー画面を表示させる。このメニュー画面において、ユーザが所望の項目を選択すると、その項目に対応したカメラの設定を行うことができる。このようなメニュー設定動作の後は次のステップに移行する。また、ステップＳ７の判定において、メニュースイッチがオンしていない場合に、ボディＣＰＵ２１９は、ステップＳ８の処理をスキップする。
【００４２】
ステップＳ７又はＳ８の後、ボディＣＰＵ２１９は、ユーザのレリーズボタンの操作によって１Ｒスイッチがオンしたか否かを判定する（ステップＳ９）。ステップＳ９の判定において、１Ｒスイッチがオンした場合に、ボディＣＰＵ２１９は、撮影動作を制御する（ステップＳ１０）。撮影動作においては、例えば、撮像素子２０５を介して得られる画像データのコントラストを評価しながら、撮影レンズ１０１を駆動させて撮影レンズ１０１のフォーカスを調整する。また、撮像素子２０５を介して得られる画像データの明るさを評価することにより、撮影時における露光量（絞り値、シャッタ速度）を演算する。この後、ユーザのレリーズボタンの操作によって２Ｒスイッチがオンした場合には、演算されていた露光量に従って絞り羽１０３、フォーカルプレーンシャッタ２０１を制御しつつ撮像素子２０５の露光を実行する。そして、この露光によって得られた画像データを、画像処理回路２１１において処理した後、圧縮伸長回路２１６において圧縮する。その後に圧縮した画像データを、記録媒体２１８に記録する。なお、ステップＳ９の判定において、１Ｒスイッチがオンしていない場合に、ボディＣＰＵ２１９は、ステップＳ１０の処理をスキップする。
【００４３】
ステップＳ９又はＳ１０の後、ボディＣＰＵ２１９は、交換レンズ１００が取り外されたか否かを判定する（ステップＳ１１）。交換レンズ１００が取り外されたか否かは、例えばボディＣＰＵ２１９とレンズＣＰＵ１０５との間で通信を行うことで判定できる。即ち、レンズＣＰＵ１０５から返信がなかった場合には交換レンズ１００が取り外されたと判定する。ステップＳ１１の判定において、交換レンズ１００が取り外されていない場合に、ボディＣＰＵ２１９は、パワースイッチ２２３がオンのままであるか否かを判定する（ステップＳ１２）。ステップＳ１２の判定において、パワースイッチ２２３がオンのままである場合に、ボディＣＰＵ２１９は、ステップＳ５以後の処理を実行する。
【００４４】
一方、ステップＳ１２の判定において、パワースイッチ２２３がオフである場合に、ボディＣＰＵ２１９は、液晶モニタ駆動回路２１３に対してライブビュー動作停止の指示を行う（ステップＳ１３）。次に、ボディＣＰＵ２１９は、レンズＣＰＵ１０５に対して、第２レンズ群１０１ｂを最至近位置（図２で示す第２レンズ群１０１ｂの可動範囲において至近側の端の位置）へ移動させるように指示を送る（ステップＳ１４）。第２レンズ群１０１ｂを最至近位置へ移動させることにより、無限遠には合焦しなくなる。このため、ノーマルオープンシャッタを有するカメラボディ２００が何らかの理由によって太陽に向いてしまった場合であっても、無限遠にある太陽の像が撮像素子２０５の受光面上で合焦することがない。これによって、撮像素子２０５の受光面が焼き付く可能性を低減することが可能である。
【００４５】
第２レンズ群１０１ｂを移動させた後、ボディＣＰＵ２１９は、レンズＣＰＵ１０５に対して、絞り羽１０３を最小絞りまで絞り込むように指示を送る（ステップＳ１５）。これにより、撮像素子２０５に入射する光の量が低減されるため、撮像素子２０５の受光面が焼き付く可能性をさらに低減することが可能である。
【００４６】
絞り羽１０３を最小絞りに設定した後、ボディＣＰＵ２１９は、交換レンズ１００への電源供給を停止した後（ステップＳ１６）、本カメラの状態をスリープ状態に移行させる。
【００４７】
また、ステップＳ１１の判定において、交換レンズ１００が取り外された場合に、ボディＣＰＵ２１９は、液晶モニタ駆動回路２１３に対してライブビュー動作停止の指示を行う（ステップＳ１７）。次に、ボディＣＰＵ２１９は、交換レンズ１００への電源供給を停止する（ステップＳ１８）。その後、ボディＣＰＵ２１９は、交換レンズ１００が装着されたか否かを判定する（ステップＳ１９）。ステップＳ１９の判定において、交換レンズ１００が装着されていない場合に、ボディＣＰＵ２１９は、ステップＳ１９の判定を行いつつ、待機する。ステップＳ１９の判定において、交換レンズ１００が装着された場合に、ボディＣＰＵ２１９は、ステップＳ２以後の処理を実行する。
【００４８】
以上説明したように、本実施形態によれば、カメラが不動作状態に移行する際に、焦点位置調節用レンズ群である第２レンズ群１０１ｂを最至近位置に移動させるとともに、絞り羽１０３を最小絞りに設定するようにしている。これにより、不動作状態時に撮像素子２０５の受光面が露出されるようなノーマルオープンシャッタを有するカメラであっても撮像素子２０５の受光面が焼き付く可能性を低減することが可能である。
【００４９】
ここで、本実施形態では、不動作状態時に撮像素子２０５の受光面が露出されるような機構のカメラの一例としてノーマルオープンシャッタを有するカメラを挙げている。しかしながら、本実施形態の技術は、機械的なシャッタ機構を有さないカメラに対しても適用できる。また、図１に示したカメラはレンズ交換式のカメラであるが、本実施形態の技術はレンズ交換が不能のカメラ（所謂コンパクトタイプのカメラ）にも適用可能である。
【００５０】
また、本実施形態では、第２レンズ群１０１ｂを最至近位置に移動させているが、太陽の像が撮像素子２０５の受光面上で合焦しないのであれば第２レンズ群１０１ｂを必ずしも最至近位置に移動させる必要はない。同様に、絞り羽１０３についても必ずしも最小絞りとする必要はない。
【００５１】
以上実施形態に基づいて本発明を説明したが、本発明は上述した実施形態に限定されるものではなく、本発明の要旨の範囲内で種々の変形や応用が可能なことは勿論である。
【００５２】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５３】
【図１】本発明の一実施形態に係る撮像装置の一例としての電子カメラの構成を示した図である。
【図２】カメラボディに交換レンズを装着した状態のカメラの内部構成を示す断面図である。
【図３】本発明の一実施形態におけるカメラの動作について示すフローチャートである。
【符号の説明】
【００５４】
１００…交換レンズ、１０１ａ…第１レンズ群、１０１ｂ…第２レンズ群、１０１…撮影レンズ、１０２…光学系駆動機構、１０３…絞り羽、１０４…絞り駆動機構、１０５…レンズＣＰＵ、１０６…通信端子、２００…カメラボディ、２０１…フォーカルプレーンシャッタ、２０２…シャッタ駆動機構、２０４…各種フィルタ、２０５…撮像素子、２０６…撮像素子駆動回路、２０７…前処理回路、２０８…データバス、２０９…ＳＤＲＡＭ制御回路、２１０…ＳＤＲＡＭ、２１１…画像処理回路、２１２…ビデオ信号出力回路、２１３…液晶モニタ駆動回路、２１４…ファインダ（Ｆ）内液晶モニタ、２１５…背面液晶モニタ、２１６…圧縮伸長回路、２１７…記録媒体制御回路、２１８…記録媒体、２１９…シーケンスコントローラ（ボディＣＰＵ）、２２０…フラッシュメモリ制御回路、２２１…フラッシュメモリ、２２２…各種スイッチ、２２３…パワースイッチ、２２４…スイッチ検知回路、２２５…入出力回路、２２６…通信回路
【図１】
2010062833.tif 000003
【図２】
2010062833.tif 000004
【図３】
2010062833.tif 000005